(57)【要約】【課題】配線の自由度が高く外観を美しく構成できるキャビネットを提供することを課題とする。【解決手段】組み合わせて並列に配置される複数のユニットキャビネット２と、前記複数のユニットキャビネットの全幅に合わせて形成されその上部に跨って載置されるカウンター３とを備え、壁面１０に沿って設置されるキャビネット１であって、前記カウンターは、前記壁面に沿って設置した状態において前記カウンターの壁面側縁部３０と前記壁面との間に上下に貫通した溝９が形成されるよう前記ユニットキャビネット上に載置され、前記カウンターの壁面側縁部には、前記溝を塞ぐように該壁面側縁部の略全幅に亘って弾性変形可能なカバー部材５が取付けられていることを特徴とする。【選択図】図１
2010193943.tif 000002
【特許請求の範囲】
【請求項１】
組み合わせて並列に配置される複数のユニットキャビネットと、前記複数のユニットキャビネットの全幅に合わせて形成されその上部に跨って載置されるカウンターとを備え、壁面に沿って設置されるキャビネットであって、
前記カウンターは、前記壁面に沿って設置した状態において前記カウンターの壁面側縁部と前記壁面との間に上下に貫通した溝が形成されるよう前記ユニットキャビネット上に載置され、前記カウンターの壁面側縁部には、前記溝を塞ぐように該壁面側縁部の略全幅に亘って弾性変形可能なカバー部材が取付けられていることを特徴とするキャビネット。
【請求項２】
請求項１において、
前記カバー部材は、前記壁面側縁部に取付けられる硬質の基部と、前記壁面に近接するよう前記基部に突設される軟質の先側部とを備えていることを特徴とするキャビネット。
【請求項３】
請求項１又は請求項２において、
前記ユニットキャビネットは更に背板を備え、
前記背板には、前記壁面に設けられたコンセントに対応する位置に開口部が設けられ、前記壁面に沿って設置した状態で前記コンセントが露出するよう構成されていることを特徴とするキャビネット。
【発明の詳細な説明】
【技術分野】
【０００１】
本発明は、組み合わせて並列に配置される複数のユニットキャビネットと、複数のユニットキャビネットの全幅に合わせて形成されその上部に跨って載置されるカウンターとを備え、壁面に沿って設置されるキャビネットに関する。
【背景技術】
【０００２】
従来より、同じ奥行き寸法とした箱型のユニットキャビネットを居室空間などに合わせ複数組み合わせて配列させ、ひとつのキャビネットを構成するものが知られており、中でもＡＶ（オーディオヴィジュアル）機器などを載置或いは収納できるキャビネットとしては、ＡＶ機器の電気配線を体裁よく処理できるよう配線機能を持たせたものが知られている。
下記特許文献１には、ＡＶ機器用キャビネットが開示されており、ここには背板をキャビネットの後端よりやや前方に配置し、コンセントや電気配線を壁面と背板との間にできる空間に収容できるキャビネットが記載されている。また下記特許文献１には電気配線を引き込む円形の配線孔が、キャビネットの天板後端の中央にひとつ形成されているものが記載されている。これによれば、ＡＶ機器の電気配線が外からみえず外観のよいものとすることができる。
【先行技術文献】
【特許文献】
【０００３】
【特許文献１】特開２００１−８７５４号公報
【発明の概要】
【発明が解決しようとする課題】
【０００４】
電気配線の本数が少ない場合や配線孔のすぐ近くにＡＶ機器があるような場合は、特許文献１に記載のように配線孔が天板に１箇所設けられていれば十分である。しかしながら、ＡＶ機器に限らず照明器具など電気配線を有する機器が複数キャビネットに載置或いは収納されている場合は、ひとつの配線孔のみでは対応できず、またＡＶ機器が載置されている場所と配線孔が形成されているところが離れている場合は別途新たに配線孔を形成しなければならない点が問題となる。
更に床面に据え置くタイプのキャビネットであれば、配線時にキャビネットを動かして配線作業をすることができるが、キャビネットを壁面に吊り施工するタイプの場合は、施工後キャビネットを動かすことができないので、配線の自由度が高い構成としたキャビネットが求められている。
【０００５】
本発明は、上記実情に鑑みなされたものであり、配線の自由度が高く外観を美しく構成できるキャビネットを提供することを課題とする。
【課題を解決するための手段】
【０００６】
請求項１の発明に係るキャビネットは、組み合わせて並列に配置される複数のユニットキャビネットと、前記複数のユニットキャビネットの全幅に合わせて形成されその上部に跨って載置されるカウンターとを備え、壁面に沿って設置されるキャビネットであって、前記カウンターは、前記壁面に沿って設置した状態において前記カウンターの壁面側縁部と前記壁面との間に上下に貫通した溝が形成されるよう前記ユニットキャビネット上に載置され、前記カウンターの壁面側縁部には、前記溝を塞ぐように該壁面側縁部の略全幅に亘って弾性変形可能なカバー部材が取付けられていることを特徴とする。
【０００７】
また本発明におけるカバー部材は、前記壁面側縁部に取付けられる硬質の基部と、前記壁面に近接するよう前記基部に突設される軟質の先側部とを備えているものとしてもよい。
【０００８】
更に本発明では、ユニットキャビネットは更に背板を備え、前記背板には、前記壁面に設けられたコンセントに対応する位置に開口部が設けられ、前記壁面に沿って設置した状態で前記コンセントが露出するよう構成されているものとしてもよい。
【発明の効果】
【０００９】
本発明に係るキャビネットによれば、カウンターの壁面側縁部と壁面との間に略全幅に亘って上下に貫通する溝が形成され、該溝を塞ぐように弾性変形可能なカバー部材が壁面側縁部の略全幅に亘って取付けられているので、キャビネットの上に置かれるＡＶ機器や照明器具などの電気配線を任意の場所からキャビネット内に引き込むことができる。よって電気配線を引き込むために別途新たに穴加工などを行う必要がなく、外観を美しく構成することができる。
またカウンターとカバー部材とが別部材で構成されるため、カウンターの材質や色目などを合わせたカバー部材を取付けることができ、キャビネットの上面を統一感のあるものとすることができる。
更に溝はカバー部材によって塞がれるので、埃などの侵入を阻止できる。
【００１０】
カバー部材を前記壁面側縁部に取付けられる硬質の基部と、前記壁面に近接するよう前記基部に突設される軟質の先側部とを備えているものとした場合は、硬質の基部で先側部を支持することができ、また先側部は軟質で構成されているので、電気配線などを傷つけることなく容易にキャビネット内に引き込むことができる。
【００１１】
更にユニットキャビネットは更に背板を備え、該背板には、前記壁面に設けられたコンセントに対応する位置に開口部が設けられ、前記壁面に沿って設置した状態で前記コンセントが露出するよう構成されているものとした場合は、コンセントの位置が確認しやすいので、キャビネット内に引き込んだ電気配線をコンセントに差込みやすいものとすることができる。
【図面の簡単な説明】
【００１２】
【図１】本発明に係るキャビネットの一実施形態を示し、前記キャビネットに設けられたカバー部材の構成を示す要部拡大断面図である。
【図２】（ａ）は同キャビネットを説明するための概略平面図、（ｂ）は同キャビネットを説明するための概略正面図である。
【図３】（ａ）は図２（ｂ）に示すＡ−Ａ’線矢視断面図、（ｂ）は図２（ｂ）に示すＢ−Ｂ’線矢視断面図である。
【図４】（ａ）及び（ｂ）は図１の変形例を示しており、図１と同様図である。
【発明を実施するための形態】
【００１３】
本実施形態に係るキャビネット１は、図２（ａ）及び（ｂ）に示すように、ＤＶＤデッキ８などのＡＶ機器を収納できるローボードとして適用した例を示しており、リビングなどの居室空間の壁面１０に沿って設けられ、壁面１０とユニットキャビネット２の背板２２とが接するように配置される（図３（ａ）及び（ｂ）参照）。
ここではテレビ７を壁面１０に取付けた例を示しているが、これに限定されず、テレビ７はカウンター３の上に載置するものとしてもよい。
【００１４】
キャビネット１は、複数のユニットキャビネット２と、その上面に跨って載置されるカウンター３と、壁面１０に取付けられた薄型のテレビ７の電気配線を隠す目隠しボード４とを備えている。
同じ奥行き寸法とした箱型のユニットキャビネット２は、３つ組み合わせて並列に配置され、壁面１０に吊り施工されている。テレビ７の下方に設けられた中央のユニットキャビネット２は、前面がガラス製の扉になっており、ユニットキャビネット２内に収納されるものが外から見えるよう構成されている。両側に配置されたユニットキャビネット２は、前面がフラップ式などの扉或いは引出しの前板などで構成されており、いずれのユニットキャビネット２もその中は、棚などが構成され、ＤＶＤデッキ８、アンプ（不図示）、スピーカー（不図示）などのＡＶ機器や小物などが収納できる収納空間となっている。
【００１５】
ユニットキャビネット２の上方に設けられる天板２３には後記する溝９と連通する第１の連通部２０が設けられており、電気配線６を引き込む配線空間となっている。またこの第１の連通部２０はテレビ７やユニットキャビネット２内に収納されるＡＶ機器の放熱空間にもなる。
なお、図では前記中央のユニットキャビネット２の第１の連通部２０は、壁面側端部の全幅に亘って形成されている例を示しているが、これに限定されるものでなく、天板２３の壁面側端部の中央を一部切欠いて形成されているものとしてもよい。また前記両側に配されたユニットキャビネット２の第１の連通部２０は天板２３の壁面側端部の中央を一部切欠いて形成されている例を示しているが、これに限定されるものではなく、壁面側端部の全幅に亘って形成されているものとしてもよい。要は、第１の連通部２０は、第１の連通部２０に引き込まれた電気配線６をスムーズにコンセント１１などへ導くことができるよう形成されるものであればよい。
【００１６】
中央のユニットキャビネット２内を仕切る仕切り板２５には第２の連通部２１が設けられており、仕切り板２５によって配線が阻害されることなく、自由に配線することができる。よって図３（ａ）に示すようにＤＶＤデッキ８の電気配線６は第２の連通部２１を通じてコンセント１１へとスムーズに引き込むことができるのである。またこの第２の連通部２１もテレビ７やユニットキャビネット２内に収納されるＡＶ機器の放熱空間になる。
ここで、第２の連通部２１は図３（ａ）に示すようにユニットキャビネット２の仕切り板２５と背板２２との間に空間ができるよう形成される例に限定されず、電気配線６が通じるよう仕切り板２５に孔を形成したものとしてもよい。
なお、ここでは第２の連通部２１が、中央のユニットキャビネット２内に設けられた仕切り板２５に形成された例について説明したが、隣合うユニットキャビネット２同士を連通させるように側板に第２の連通部２１を設けられるものとしてもよい（不図示）。これによれば、コンセント１１から離れたユニットキャビネット２内に引き込んだ電気配線６をコンセント１１に近接した位置に配置されたユニットキャビネット２までキャビネット１の外側を伝うことなく配線することができる。またこのように並列に配置される複数のユニットキャビネット同士が連通状態となるので、キャビネット１内の通気性がよくなり、ＡＶ機器などが収納される場合は放熱機能を備えたキャビネット１とすることができる。
【００１７】
カウンター３は、３つの並列に配置されるユニットキャビネット２の全幅に合わせて形成され、集成材或いは無垢の木などからなる木質材料からなる板体であり、天板２３の上に固定載置される。
カウンター３の奥行き寸法は、カウンター３の壁面側縁部３０と壁面１０との間に上下に貫通した溝９（図１参照）が形成される寸法に設定され、天板２３の上に載置された際には、壁面側縁部３０と壁面１０との間に空間が形成される。
そしてカウンター３の壁面側縁部３０には、その溝９（空間）を塞ぐように壁面側縁部３０の略全幅に亘って弾性変形可能なカバー部材５が取付けられている。
【００１８】
図１を参照しながら、カバー部材５について説明する。なお図１は説明のため、ユニットキャビネット２の図示を省略する。
カバー部材５は壁面側縁部３０に取付けられ先側部５１を支持する硬質の基部５０と、壁面１０に近接される軟質の先側部５１とを備えている。
基部５０は先側部５１を支持できるよう金属材或いは樹脂材など硬質のものからなり、壁面側縁部３０に固着される固着部５０ａと先側部５１が取付けられる取付部５０ｂとを備え、断面略Ｌ字型に形成される。
固着部５０ａには壁面側縁部３０にビス５２などで固定できるよう適所に孔部（不図示）が形成されており、取付部５０ｂの上面には先側部５１が貼り付けられており、該先側部５１の先端は、壁面１０に軽く接するか、或いは接しない程度に若干の隙間を空く程度に設けられている。
先側部５１は電気配線６を引き込めるように軟質の樹脂材或いはゴム材などからなり、これによれば、図１に示すように電気配線６を引き込むと弾性変形して先側部５１が撓った状態となるが、大きな隙間が形成されることがないので、埃などがキャビネット１内に入りにくい構成とすることができる。また先側部５１は軟質素材からなるので、電気配線６に傷をつけてしまうことがない。
【００１９】
このようにカウンター３の壁面側縁部３０と壁面１０との間に略全幅に亘って上下に貫通する溝９が形成され、またこの溝９を塞ぐように該壁面側縁部３０の略全幅に亘って設けられるカバー部材５が取付けられているので（図２（ａ）参照）、キャビネット１の上に置かれるＡＶ機器などの電気配線を任意の場所からキャビネット１内に引き込むことができる。よって電気配線６を引き込むために別途新たに穴加工などを行う必要がなく、外観を美しく構成することができる。
またカウンター３とカバー部材５とが別部材で構成されるため、カウンター３の材質や色目などを合わせたカバー部材５を取付けることができ、キャビネット１の上面を統一感のあるものとすることができる。ここでは図示していないが、統一感をかもし出すため、カウンター３の材質や色目を合わせるため、先側部５１の上面に化粧シートを貼り付けてもよい。
【００２０】
こうしてカバー部材５を通じて引き込んだ電気配線６は上述の第１の連通部２０を通じてユニットキャビネット２内に引き込むことができ、また中央のユニットキャビネット２においては、第２の連通部２１を通じて引き込んだ電気配線６をコンセント１１へと引き込むことができるので配線の自由度が向上する。
【００２１】
図４（ａ）及び（ｂ）には、カバー部材５の変形例を示している。図１に示すカバー部材５と共通する部分には共通の符号を付し、共通する部分の説明は省略する。
図４（ａ）の例は、取付部５０ｂに先側部５１との係合部５０ｂａを形成した例であり、該係合部５０ｂａは壁面１０側に向かって突出して形成され、その先端側には楔状の突起が形成されている。係合部５０ｂａは壁面側縁部３０に沿って一連に形成されるものであってもよいし、部分的に形成されるものであってもよく、先側部５１が嵌め入れられた後、容易に外れてしまうことのないよう形成されていればよい。先側部５１は壁面１０に向かって先細状に形成されており、係合部５０ｂａに嵌め入れられるよう凹所が形成されている。
【００２２】
図４（ｂ）の例は、硬質の基部５０と軟質の先側部５１とが樹脂材からなり、同時成型されて一体に構成された例である。これによれば、基部５０に先側部５１が一体に突設されるので、互いに強固に一体固着され、部品点数が減り施工が容易となる。また先側部５１を薄状に構成しやすいので、可撓性が向上し配線がしやすくなる。
【００２３】
以上、キャビネット１、ユニットキャビネット２、カウンター３、カバー部材５の形状、大きさ、構成は図例に限定されるものではない。例えばユニットキャビネット２の数は３つに限定されず、２個以上から構成されるものに適用することができる。またキャビネット１は吊り施工タイプに限定されず、床に台座を介して設置される置き設置タイプのものであってもよいことはいうまでもなく、ＡＶ機器用のキャビネットとしてだけなく、パソコンやプリンタなどのＯＡ機器用のキャビネット、照明器具などを置く飾り棚用のキャビネットなどにも適用することができる。
【符号の説明】
【００２４】
１      キャビネット
２      ユニットキャビネット
３      カウンター
３０      壁面側縁部
５      カバー部材
５０      基部
５１      先側部
９      溝
１０      壁面
【図１】
2010193943.tif 000003
【図２】
2010193943.tif 000004
【図３】
2010193943.tif 000005
【図４】
2010193943.tif 000006